(57)【要約】【課題】対物レンズ保護部材が摩耗してもレンズ表面に摩耗粉が付着しないように考慮し、施工性が容易で不良率、製造コストが低く抑えられる対物レンズ保護部材を提供する。【解決手段】光ディスクの情報記録面にレーザ光を焦点合わせする対物レンズ２の保持部３に、この対物レンズ２よりも上記光ディスク側へ突出して設けられ、上記対物レンズ２と上記光ディスクとの当たりを防止する対物レンズ保護部材１であって、凹状の段差部１ｂを有する樹脂シートからなり、段差部１ｂは塑性変形によって形成され、上記樹脂シートはフッ素樹脂製である。【選択図】図１
2007188558.tif 000002
【特許請求の範囲】
【請求項１】
光ディスクの情報記録面にレーザ光を焦点合わせする対物レンズの保持部に、この対物レンズよりも前記光ディスク側へ突出して設けられ、前記対物レンズと前記光ディスクとの当たりを防止する対物レンズ保護部材であって、
前記対物レンズ保護部材は、前記光ディスク側の表面に凹状の段差部を有する樹脂シートからなり、前記段差部は塑性変形によって形成されていることを特徴とする対物レンズ保護部材。
【請求項２】
前記樹脂シートは、フッ素樹脂製であることを特徴とする請求項１記載の対物レンズ保護部材。
【発明の詳細な説明】
【技術分野】
【０００１】
本発明は、光ディスク用ピックアップ装置に用いる対物レンズ保護部材に関するものである。
【背景技術】
【０００２】
ＣＤやＤＶＤ等の光ディスクが剥き出しのまま挿入される光ディスク再生装置のピックアップ装置は、光ディスクの情報記録面にレーザ光を焦点合わせする対物レンズが、光ディスクと 2 mm 程度の狭い間隔で配置されている。この光ディスクと対物レンズの間隔は、光ディスクの情報記録密度の増大に伴って、さらに狭くなることが予想される。なお、対物レンズは、レーザ光のフォーカス調整とトラッキング調整のために、それぞれ光ディスク面と直交方向および光ディスクの半径方向に、その保持部とともに移動されるようになっている。
このため、このようなピックアップ装置では、振動や衝撃等により互いに近接した対物レンズと光ディスクとが当たり、光ディスクの情報記録面や対物レンズに傷が付くことがあり、この当たりを防止するために、対物レンズの保持部に、対物レンズよりも光ディスク側へ突出する軟質の対物レンズ保護部材を設けたものがある。
【０００３】
従来、このような対物レンズ保護部材の形成方法として、フッ素系樹脂のコーティング材から形成し、対物レンズを支持する保持部のディスク側端面のうち、光ディスクの回転に対して対物レンズの上流側に位置する所定の幅を有する部分には、対物レンズ保護部材を形成しないで段差部とする方法が知られている（特許文献１参照）。また、保護部材を、樹脂フィルムの表面に、有機溶媒に分散または溶解した樹脂成分を焼成または乾燥してなる樹脂塗膜層を形成したものとし、この保護部材を対物レンズの保持部に接着する方法も知られている（特許文献２参照）。
特許文献１ではフッ素系樹脂のコーティング材から保護部材を形成するときに、レンズ接着面へのコーティング剤のはみ出しを防ぐためレンズ孔にマスキングが必要である。しかし、近年の直径 3 mm〜5 mm の非常に小さいレンズを保持する対物レンズの保持部にマスキングすることは容易ではなく、不良率が高くなるとともに製造コストを低くすることができない要因であった。これに対して、特許文献２で示すように、保護部材を予め形成しておき保持部に接着するものでは、マスキングの必要がなく、非常に小さいレンズに適用する場合でも、不良率、製造コストを低く抑えることが可能である。
【０００４】
一方、特許文献１において開示されているように、対物レンズ保護部材が摩耗した場合でもレンズ表面に摩耗粉が付着しないように、光ディスクの回転に対して対物レンズの上流側に位置する部分の対物レンズ保護部材の表面に凹状の段差部等を設けることが求められている。しかし、上記特許文献２の技術では、このような要求に対応することが困難であった。その理由は、特許文献１のようにレンズ保持部に段差部等の凹凸を形成すると、対物レンズ保護部材を該凹凸を有する保持部表面に皺をつけずに貼り付けることが困難であり、また、対物レンズ保護部材の表面には樹脂塗膜層が形成されていることから、該保護部材自体の表面に段差部等の凹凸を形成することが困難なためである。
【特許文献１】特開２００２−２２２５３５号公報
【特許文献２】特開２００３−２７２２０６号公報
【発明の開示】
【発明が解決しようとする課題】
【０００５】
本発明はこのような問題に対処するためになされたものであり、対物レンズ保護部材が摩耗してもレンズ表面に摩耗粉が付着しないように考慮した対物レンズ保護部材であって、施工性が容易で不良率、製造コストが低く抑えられる対物レンズ保護部材の提供を目的とする。
【課題を解決するための手段】
【０００６】
本発明の対物レンズ保護部材は、光ディスクの情報記録面にレーザ光を焦点合わせする対物レンズの保持部に、この対物レンズよりも上記光ディスク側へ突出して設けられ、上記対物レンズと上記光ディスクとの当たりを防止する対物レンズ保護部材であって、上記対物レンズ保護部材は、上記光ディスク側の表面に凹状の段差部を有する樹脂シートからなり、上記段差部は塑性変形によって形成されていることを特徴とする。
上記樹脂シートはフッ素樹脂製であることを特徴とする。
【発明の効果】
【０００７】
本発明の対物レンズ保護部材は、樹脂シートの光ディスク側表面に塑性変形によって形成された凹状の段差部が設けられているので、対物レンズ保護部材が摩耗して摩耗粉が発生しても、段差部に摩耗粉が捕捉され、レンズ表面に摩耗粉が付着しない。特に、凹状の段差部が塑性変形によって形成されているので、経時的に段差部形状が変形することもなく対物レンズ保護作用が長期的に継続して行なわれる。
また、本発明の対物レンズ保護部材のピックアップ装置への適用は、該対物レンズ保護部材を対物レンズの保持部に貼り付けるだけなので、施工性に優れ不良率や製造コストを低く抑えられる。
また、上記樹脂シートは合成樹脂の中で最も摩擦係数の低いフッ素樹脂製であるので、対物レンズ保護部材が光ディスクと接触した場合でもブレーキ効果が生じディスク回転が不安定になることがない。
【発明を実施するための最良の形態】
【０００８】
本発明の対物レンズ保護部材について図１に基づき説明する。対物レンズの保持部に貼り付けられた本発明の対物レンズ保護部材の一例を図１に示す。図１に示すように対物レンズ保護部材１は、平坦部１ａおよび該平坦部１ａに対して凹状の段差部１ｂを有し、接着剤層１ｃによって対物レンズ２の保持部３に貼り付けられている。ここで、段差部１ｂは塑性変形によって形成されており、経時的に段差部１ｂ形状が変形することもなく、矢印方向に回転される光ディスクに対して所定の間隔を保つことができ対物レンズ保護作用が長期的に継続して行なわれる。
光ディスクが対物レンズ保護部材１に接触したとしても、光ディスクの回転に対して対物レンズ２の上流側に位置する部分に対物レンズ保護部材１の表面に凹状の段差部１ｂが形成されているので、対物レンズ２上に吹き飛ばされる摩耗粉は発生しない。
また、本発明の対物レンズ保護部材の他の実施例を図２に示す。図２に示す対物レンズ保護部材１は、平坦部１ａおよび該平坦部１ａに対して２箇所の凹状の段差部１ｂ、１ｄを有し、接着剤層１ｃによって対物レンズ２の保持部３に貼り付けられている。
【０００９】
本発明において対物レンズ保護部材１に設ける段差部は図１および図２に示した段差部１ｂ、１ｄに限定されることなく、例えば、図２のＤ−Ｏ方向に直交するＯ−Ｅ方向に段差部を追加して設けることや、対物レンズ保護部材１の光ディスク側表面を分割してできる複数の扇形を、交互に平坦部１ａと段差部１ｂとに充当することもできる。この場合、対物レンズ２を保護する目的から平坦部１ａの総面積を段差部１ｂの総面積の１／４以上に確保することが好ましい。
【００１０】
本発明の対物レンズ保護部材１を設けた光ディスク用ピックアップ装置を図３に示す。図３は光ディスク用ピックアップ装置を図１のＣ−Ｃ断面または図２のＤ−Ｏ−Ｅ断面で切断した場合の断面図である。このピックアップ装置は、光ディスクＡの情報記録面にレーザ光Ｂを焦点合わせする対物レンズ２の保持部３に、対物レンズ保護部材１を対物レンズ２よりも光ディスクＡ側へ突出して接着したものである。光ディスクＡと保護部材１の間隔δ1 は 0.8 mm 、光ディスクＡと対物レンズ２の間隔δ2 は 2.0 mm に設定されている。なお、本発明の対物レンズ保護部材は、従来技術では形成が困難な対物レンズの直径 3 mm〜5 mm 程度であっても容易に形成可能である。
【００１１】
本発明の対物レンズ保護部材は、熱可塑性樹脂のシート製である。厚み 0.2 mm〜2 mm の熱可塑性樹脂のシートを、図１および図２に示すようなリング状等の所定形状に裁断したものである。
熱可塑性樹脂としては、摩擦係数が低く、弾性に富む材料であればよいが、結晶性樹脂が塑性変形が容易であるため望ましい。また、汎用樹脂、エンジニアリングプラスチック、フッ素樹脂等に拘わらず採用できる。例えば、ポリエチレン樹脂、ポリプロピレン樹脂等の汎用樹脂、ポリアセタール樹脂、ポリアミド樹脂、ポリフェニレンサルファイド樹脂、ポリエーテルエーテルケトン樹脂等のエンジニアリングプラスチック、ポリテトラフルオロエチレン樹脂、テトラフルオロエチレン・パーフルオロアルキルビニルエーテル共重合樹脂、エチレン・テトラフルオロエチレン共重合樹脂等のフッ素樹脂を用いることができる。これらの中で、最も摩擦係数の低いフッ素樹脂を用いることが特に好ましい。
【００１２】
樹脂シートの光ディスク側表面に、平坦部と、該平坦部に対して凹状の形状を有する段差部とを塑性変形によって形成する方法は、樹脂シートに対して加熱と加圧とを同時に付与することで可能である。凹状段差部を形成するための凸状段差部がつけられた金型を用い、加熱した金型を所定時間樹脂シートに対して押し当てることで形成できる。例えば、ガラス転移点以上、融点以下の温度のもとで、凹状段差部が形成される圧力を加えることで形成される。このとき加える圧力は樹脂材料、シートの厚み、段差部の大きさ等によって最適な条件を適宜選定する。
平坦部に対する凹状段差部の深さは 0.1 mm 以上あれば対物レンズの上に摩耗粉が載ることを防ぐことができる。より好ましくは 0.3 mm 以上である。
【００１３】
なお、対物レンズ保護部材の接着面は平坦面である。また、この接着面に予め接着剤の層を形成することにより、容易に対物レンズの保持部に接着することができる。
本発明の対物レンズ保護部材１の光ディスク用ピックアップ装置への適用は、図１〜図３に示すように、対物レンズ保護部材１を、対物レンズ２の保持部３に接着剤等により貼り付けるだけなので、施工性に優れ不良率や製造コストを低く抑えられる。
【産業上の利用可能性】
【００１４】
本発明の対物レンズ保護部材は、凹状の段差部が塑性変形によって形成されているので、対物レンズ保護部材が摩耗してもレンズ表面に摩耗粉が付着せず、施工性が容易で不良率、製造コストが低く抑えられる。そのため、ＣＤ、ＭＤおよびＤＶＤ等の光ディスク再生装置のピックアップ装置に好適に利用できる。
【図面の簡単な説明】
【００１５】
【図１】本発明の対物レンズ保護部材の実施例を示す斜視図である。
【図２】本発明の対物レンズ保護部材の他の実施例を示す斜視図である。
【図３】光ディスク用ピックアップ装置を図１のＣ−Ｃ断面および図２のＤ−Ｏ−Ｅ断面で切断した場合の断面図である。
【符号の説明】
【００１６】
１    対物レンズ保護部材
１ａ  平坦部
１ｂ  段差部
１ｃ  接着剤層
１ｄ  段差部
２    対物レンズ
３    保持部
【図１】
2007188558.tif 000003
【図２】
2007188558.tif 000004
【図３】
2007188558.tif 000005